(57)【要約】【課題】エプロン部材の持出し部側の端縁に形成される隙間から持出し部の内方の空間が暗く見えてしまって見栄えが悪くなるのを防止できる浴室ユニットの目隠し構造を提供する。【解決手段】浴槽スペースＳ２と洗い場スペースＳ１とを有し前記浴槽スペースＳ２の側壁が大略平面状に連続して隣接する前記洗い場スペースＳ１の側壁よりも外方にせりだして持出し部３が形成された浴室ユニットの目隠し構造である。浴槽５上部のフランジ部５２が浴槽スペースＳ２及び持出し部３の側壁に沿うように浴槽５を浴槽スペースＳ２及び持出し部３に配設した。洗い場スペースＳ１側の側壁より連設する持出し部３の突出側壁部４１と浴槽５に取付けられるエプロン部材５４との間の隙間を覆い隠す目隠し部材６を前記突出側壁部４１に設けた。【選択図】　　　　図１
2004057405.tif 000002
【特許請求の範囲】
【請求項１】
浴槽スペースと洗い場スペースとを有し前記浴槽スペースの一側壁が大略平面状に連続して隣接する前記洗い場スペースの一側壁よりも外方にせりだして持出し部が形成された浴室ユニットの目隠し構造であって、浴槽上部のフランジ部が浴槽スペース及び持出し部の側壁に沿うように浴槽を浴槽スペース及び持出し部に配設し、洗い場スペース側の側壁より連設する持出し部の突出側壁部と浴槽に取付けられるエプロン部材との間の隙間を覆い隠す目隠し部材を前記突出側壁部に設けて成ることを特徴とする浴室ユニットの目隠し構造。
【請求項２】
持出し部の突出側壁部に浴槽スペース側に開口する被挿入部を有する取付具を両面粘着テープにて取着し、目隠し部材に挿入部を設けて該挿入部を上記取付具の被挿入部に挿入して固着具にて固定することを特徴とする請求項１記載の浴室ユニットの目隠し構造。
【請求項３】
持出し部の突出側壁部に該突出側壁部と浴槽のフランジ部の端縁との間の隙間に上方より化粧目地部材を挿入配置することを特徴とする請求項１又は２記載の浴室ユニットの目隠し構造。
【発明の詳細な説明】
【０００１】
【発明の属する技術分野】
本発明は、浴室ユニットの目隠し構造に関するものである。
【０００２】
【従来の技術】
従来より、浴室ユニットの一側面に持出し部を設けるものが用いられている。
【０００３】
浴室ユニットは通常は、略中央部を境にして一方の略半部を浴槽スペースとすると共に、他方の略半部を洗い場スペースとするものである。また、浴室ユニットの床は床パンで形成してある。床パンは、周端部から上方に向けて立上り部を立上げると共に、洗い場スペースと浴槽スペースとの境界に堤部を形成してある。
【０００４】
このような浴室ユニットの側面で、浴槽スペースの側面と洗い場スペースの側面とが隣接する側面のうちの浴槽スペースの側面に、浴室ユニット内方に開口する略箱状をした持出し部を設けて、浴室ユニット内部と持出し部内とを連通させたものがある。このようにすることで、浴槽を浴槽スペースのみならず持出し部にも浴槽が配設可能となるものである。
【０００５】
このような浴室ユニットには、浴槽の上端部のフランジ部のうち洗い場スペース側のフランジ部端縁と床パンの堤部との間にエプロン部材を配設して隙間を覆い隠すものである。
【０００６】
しかしながら、このような従来例にあっては、エプロン部材の持出し部側の端縁に形成される隙間から持出し部の内方の空間が暗く見えてしまって見栄えが悪くなるものであった。
【０００７】
【発明が解決しようとする課題】
本発明は上記の点に鑑みてなされたものであり、その目的とするところは、エプロン部材の持出し部側の端縁に形成される隙間から持出し部の内方の空間が暗く見えてしまって見栄えが悪くなるのを防止できる浴室ユニットの目隠し構造を提供することを課題とするものである。
【０００８】
【課題を解決するための手段】
上記課題を解決するために本発明に係る浴室ユニットの目隠し構造は、浴槽スペースＳ２と洗い場スペースＳ１とを有し前記浴槽スペースＳ２の側壁が大略平面状に連続して隣接する前記洗い場スペースＳ１の側壁よりも外方にせりだして持出し部３が形成された浴室ユニットの目隠し構造であって、浴槽５上部のフランジ部５２が浴槽スペースＳ２及び持出し部３の側壁に沿うように浴槽５を浴槽スペースＳ２及び持出し部３に配設し、洗い場スペースＳ１側の側壁より連設する持出し部３の突出側壁部４１と浴槽５に取付けられるエプロン部材５４との間の隙間を覆い隠す目隠し部材６を前記突出側壁部４１に設けて成ることを特徴とするものである。このような構成とすることで、エプロン部材５４の側方の隙間から持出し部３の内方の空間が暗く見えてしまって見栄えが悪くなるのを防止することができる。
【０００９】
また、持出し部３の突出側壁部４１に浴槽スペースＳ２側に開口する被挿入部６４を有する取付具６３を両面粘着テープ６５にて取着し、目隠し部材６に挿入部６１を設けて該挿入部６１を上記取付具６３の被挿入部６４に挿入して固着具６３にて固定することが好ましい。このような構成とすることで、簡単な構成で容易に目隠し部材６を突出側壁部４１に取付けることができる。
【００１０】
また、持出し部３の突出側壁部４１に該突出側壁部４１と浴槽５のフランジ部５２の端縁との間の隙間に上方より化粧目地部材６６を挿入配置することが好ましい。このような構成とすることで、突出側壁部４１と浴槽５のフランジ部５２の端縁との間の隙間を目隠しすることができる。
【００１１】
【発明の実施の形態】
以下、本発明を添付図面に示す実施形態に基づいて説明する。
【００１２】
図２に示すように、建物躯体としての壁部や天井部や床部に囲まれて浴室スペースＹと脱衣室スペースＤとが隣接して形成してあり、浴室スペースＹには浴室ユニットＵを設置するものであり、以下に説明する。
【００１３】
浴室ユニットＵは、浴室スペースＹを囲んでいる壁部や天井部の内面に沿って若干の隙間を介して配設されるもので、図２（ａ）に示すように、脱衣室スペースＤ側以外の側壁１１となって建物躯体の壁部に面する三方のユニット側壁部と、ユニット天井部及びユニット床部（後述する床パン２１）と、脱衣室スペースＤ側の側壁となる間仕切り部とで主体が構成される。
【００１４】
ユニット側壁部は、浴室スペースＹを囲んでいる三方の壁部とそれぞれほぼ同形状で若干小さく特に上下方向は更に小さく形成してあり、隣接するユニット側壁部同士は側端縁にて接合してある。ユニット天井部は本実施形態では、下方に開口して平面視においては浴室スペースＹの平面視形状とほぼ同じであるが若干小さい略箱状に形成してある。このユニット天井部は、下端の開口縁の三辺を上記ユニット側壁部の上端縁にそれぞれ接合してある。また、ユニット床部は、平面視における形状がユニット天井部と同形状の床パン１４で、周端縁の三辺を上記ユニット側壁部の下端縁にそれぞれ接合してある。これは図２（ｂ）に示すように、周端部から上方に向けて立上り部を立上げると共に、洗い場スペースＳ１と浴槽スペースＳ２との境界に堤部２２ａを形成してある。
【００１５】
脱衣室スペースＤ側の側面は、浴室スペースＹと脱衣室スペースＤとを間仕切る間仕切り部としてあり、このようなユニット側壁部とユニット天井部及び、ユニット床部と間仕切り部とによって内部に浴室空間が形成される。この浴室空間は、略中央部を境にして一方の略半部（本実施形態では脱衣室スペースＤから見て左側の略半部）を浴槽スペースＳ２とすると共に、他方の略半部（本実施形態では脱衣室スペースＤから見て右側の略半部）を洗い場スペースＳ１としてある。
【００１６】
間仕切り部は、本実施形態においては図２（ａ）に示すように、それぞれ浴室ユニットＵの浴槽スペースＳ２の側壁１及び洗い場スペースＳ１の側壁１となる持出し部３及びドア部７とで構成される。
【００１７】
持出し部３は、浴槽スペースＳ２の脱衣室スペースＤとの間仕切りを兼用する側壁となるもので、浴槽スペースＳ２側にのみ開口する略箱形状をしたものである。即ち、持出し部３の持出し天井部と持出し床部の開口側の端縁はそれぞれ浴室ユニットＵのユニット天井部と床パン１４とに接続され、持出し部３の両側の側壁部４の開口側の端縁はそれぞれユニット側壁部とドア部７とに接続される。特に、持出し部３のドア部７に接続される側の側壁部４は後述するドア部７より突出する状態となるためこの側の側壁部４を突出側壁部４１とし、他方（即ちユニット側壁部と接続される側の側壁部４）を持出し側壁部４２とする（図２参照）。
【００１８】
ドア部７は、洗い場スペースＳ１の脱衣室スペースＤとの間仕切りを兼用する側壁となるもので、図２（ａ）に示すように、浴室ユニットＵのユニット側壁部等に取付けられるドア枠部７１と、ドア枠部７１の内部に開閉自在に取付けられるドア本体７２とで形成される。なお、本実施形態においては、図２（ａ）に示すように、ドア枠部７１と持出し部３の突出側壁部４１とは小壁７３を介して接続される。
【００１９】
このような浴室ユニットＵには、図２（ａ）に示すように、浴槽スペースＳ２及び持出し部３に浴槽５が配設される。浴槽５は、図５や図６に示すように、上方に開口する略箱状をした浴槽本体５１と、浴槽本体５１の上端開口周縁から外側に連設されるフランジ部５２と、フランジ部５２の外周縁から下方に連設されるリム部５３とで形成される。フランジ部５２は、平面視形状が浴槽スペースＳ２及び持出し部３の外郭とほぼ同じであるが若干小さく形成してあり、平面視において浴槽スペースＳ２及び持出し部３内に配設される（図２（ａ）参照）。そして、フランジ部５２の外周縁から連設されるリム部５３のうち洗い場スペースＳ１に面するリム部５３の下方には図５に示すようにエプロン部材５４が配設される。なお、本実施形態においては、エプロン部材５４は図５に示すように、二つに分割された大エプロン部材５４ａ及び小エプロン部材５４ｂとからなるもので、このエプロン部材５４（５４ａ，５４ｂ）によってリム部５３の下端縁から浴室ユニットＵのユニット床部２１の上面との間の隙間が覆い隠される。
【００２０】
エプロン部材５４の上端部とリム部５３との取付け構造は、図６に示すように、リム部５３の裏面側に略Ｌ字状をした取付用部材５３ａを先端が下方を向くように取付け、その取付用部材５３ａとリム部５３の裏面側との間にエプロン部材５４の上端部が嵌入される。エプロン部材５４の上端部には圧接ばね５５が取付けてあり、この圧接ばね５５によってエプロン部材５４の上端部がリム部５３の裏面と取付用部材５３ａとの間に弾圧される。
【００２１】
また、エプロン部材５４の下端部は床パン２１の堤部２２ａに取付けられる。これは、図７に示すように、突起部５６ａを突設した取付部材５６を堤部２２ａの上面に載置した状態で浴槽５に取付け、エプロン部材５４の下端部を堤部２２ａの側面に当接すると共に下端部近傍から突設した当接片を取付部材５６に当接させるものである。
【００２２】
このように、浴槽５にエプロン部材５４を取付けてリム部５３と床パン２１の堤部２２ａとの間の隙間を覆い隠すであるが、エプロン部材５４の側方と浴室ユニットＵの側壁１１との間には隙間が形成されてしまう。特に、持出し部３を設けた側は、エプロン部材５４の側方の隙間から持出し部３の内方の空間が暗く見えてしまい、非常に見栄えの悪いものであった。そこで、図８に示すような本発明の目隠し部材６を設けるものであり、以下に説明する。なお図８には、便宜上エプロン部材５４を取外した状態の斜視図が示してある。
【００２３】
目隠し部材６は、図４に示すように略Ｌ字状をした本体覆い部６０から略板状の挿入部６１を連設したもので、持出し部３の突出側壁部４１（図２（ａ）参照）の内面に取付けられる。
【００２４】
次に、目隠し部材６の持出し部２の突出側壁部４１への取付けについて説明する。図３に示すように、持出し部２の突出側壁部４１の内面の目隠し部材６を設ける部分に予め目隠し部材６を取付ける取付具６３を取付ける。取付具６３は、図４に示すように、持出し部２の突出側壁部４１に取付けられる板状の取付片６３ａと、取付片６３ａから連設される略Ｌ字状をした連設片６３ｂとからなる。この取付具６３は、取付片６３ａを両面粘着テープ６５にて突出側壁部４１に取付けた際、連設片６３ｂの突出側壁部４１と略平行となる平行部６３ｃと突出側壁部４１との間に浴室ユニットＵ内に開口する被挿入部６４が形成されるようにしてある。
【００２５】
次に、この取付具６３の被挿入部６４に目隠し部材６の挿入部６１を挿入する。そして、取付具６３の平行部６３ｃに螺設したねじ孔６３ｄにねじからなる螺着具６６を螺着し、この螺着具６６の先端で目隠し部材６の挿入部６１を突出側壁部４１に圧接して固定するものである。
【００２６】
以上のような構成によれば、エプロン部材５４の側方の隙間を覆い隠す目隠し部材６を突出側壁部４１に設けたことで、エプロン部材５４の側方の隙間から持出し部３の内方の空間が暗く見えてしまって見栄えが悪くなるのを防止することができる。また、取付具６３を用いて上述したように目隠し部材６を取付けるため、簡単な構成で容易に目隠し部材６を配設することが可能となる。
【００２７】
また、図９に示すように、持出し部３の突出側壁部４１に該突出側壁部４１と浴槽５のフランジ部５２の端縁との間の隙間に上方より化粧目地部材６６を挿入配置してもよい。このようにすることで、突出側壁部４１と浴槽５のフランジ部５２の端縁との間の隙間を目隠しすることができる。
【００２８】
また、持出し部３の側壁部４及び浴室ユニットＵの側壁１との間の隙間に配設する目地部材として、図１０に示す目地部材８を設けてもよい。これは、浴槽５のエプロン部材５４を取付けていないリム部５２に螺着孔８４を螺設し、目地部材８に設けた挿通孔８１に螺着具８３を挿通して上記螺着孔８４に螺着するものである。
【００２９】
浴槽５のフランジ部５１は一般的には図１０，図１２に示すように平面状ではなく曲面状に形成してあるが、浴槽の型によって様々な曲面となっている。そして、図１０（ｂ）に示すようにリム部５２が形成された浴槽５においてはリム部５２の上端部に複数個の螺着孔８４をフランジ部５１の曲面に沿って螺設し、図１０（ｃ）に示すようにリム部が形成されないものにおいては、フランジ部５１から取付板５１ａを複数連設すると共にこの取付板５１ａに螺着孔８４を螺設する。そして、直線状をした目地部材８を螺着孔８４に沿うように曲げて取り付ける。目地部材８は、複数の挿通孔８１が設けてあると共に挿通孔８１の間に切欠８２が形成してある。これにより、目地部材８を浴槽の螺着孔８４に沿うように曲げても破損しないものである。このようにして曲げた目地部材８は（図１０（ａ）参照）、図１１に示すように、螺着具８３によって螺着孔８４に螺着することで目地部材８がフランジ部５２の上面側に位置するように固定される。なお図１２には、図１０（ａ）に示す浴槽の詳細図を図１２（ａ）に示すと共にこれに用いる目地部材８を図１２（ｂ）に示し、図１３には、図１０（ｂ）に示す浴槽の詳細図を図１２（ａ）に示すと共にこれに用いる目地部材８を図１２（ｂ）に示す。
【００３０】
【発明の効果】
上記のように本発明の請求項１記載の発明にあっては、浴槽スペースと洗い場スペースとを有し前記浴槽スペースの一側壁が大略平面状に連続して隣接する前記洗い場スペースの一側壁よりも外方にせりだして持出し部が形成された浴室ユニットの目隠し構造であって、浴槽上部のフランジ部が浴槽スペース及び持出し部の側壁に沿うように浴槽を浴槽スペース及び持出し部に配設し、洗い場スペース側の側壁より連設する持出し部の突出側壁部と浴槽に取付けられるエプロン部材との間の隙間を覆い隠す目隠し部材を前記突出側壁部に設けたので、エプロン部材の側方の隙間から持出し部の内方の空間が暗く見えてしまって見栄えが悪くなるのを防止することができる。
【００３１】
また請求項２記載の発明にあっては、上記請求項１記載の発明の効果に加えて、持出し部の突出側壁部に浴槽スペース側に開口する被挿入部を有する取付具を両面粘着テープにて取着し、目隠し部材に挿入部を設けて該挿入部を上記取付具の被挿入部に挿入して固着具にて固定したので、簡単な構成で容易に目隠し部材を突出側壁部に取付けることができる。
【００３２】
また請求項３記載の発明にあっては、上記請求項１又は２記載の発明の効果に加えて、持出し部の突出側壁部に該突出側壁部と浴槽のフランジ部の端縁との間の隙間に上方より化粧目地部材を挿入配置したので、突出側壁部と浴槽のフランジ部の端縁との間の隙間を目隠しすることができる。
【図面の簡単な説明】
【図１】本発明の一実施形態の一部透視した要部側面図である。
【図２】同上の実施形態を示し、（ａ）は一部透視した平面図であり、（ｂ）は一部透視した側面図である。
【図３】同上の実施形態の一部透視した要部平面図である。
【図４】同上における目隠し部材と取付具及び固着具の斜視図である。
【図５】同上におけるエプロン部材の取付けを説明する斜視図である。
【図６】エプロン部材の上部の取付け構造を説明する断面図である。
【図７】エプロン部材の下部の取付け構造を説明する断面図である。
【図８】目隠し部材を持出し部の突出側壁部に取付けた状態の斜視図である。
【図９】化粧目地部材の突出側壁部と浴槽のフランジ部との間の隙間への挿入を説明する説明図である。
【図１０】（ａ）は化粧目地部材の側面図であり、（ｂ）はリム部が形成された浴槽の側面図であり、（ｃ）はリム部が形成されていない浴槽の側面図である。
【図１１】同上の取付けを説明する断面図である。
【図１２】（ａ）は図１０（ｂ）に示す浴槽の詳細側面図であり、（ｂ）は目地部材の側面図である。
【図１３】（ａ）は図１０（ｃ）に示す浴槽の詳細側面図であり、（ｂ）は目地部材の側面図である。
【符号の説明】
３　持出し部
４１　突出側壁部
５　浴槽
５２　フランジ部
５４　エプロン部材
６　目隠し部材
Ｓ１　洗い場スペース
Ｓ２　浴槽スペース
【図１】
2004057405.tif 000003
【図２】
2004057405.tif 000004
【図３】
2004057405.tif 000005
【図４】
2004057405.tif 000006
【図５】
2004057405.tif 000007
【図６】
2004057405.tif 000008
【図７】
2004057405.tif 000009
【図８】
2004057405.tif 000010
【図９】
2004057405.tif 000011
【図１０】
2004057405.tif 000012
【図１１】
2004057405.tif 000013
【図１２】
2004057405.tif 000014
【図１３】
2004057405.tif 000015